(57)【要約】【課題】ネジ止め箇所を減らすことにより、簡単な作業で着脱自在に施蓋することができるようにした蓋材の取付け構造の提供。【解決手段】ケーシング１１の一側面１２に部分的に設けられた開口部１３と、該開口部１３を掩蔽するためにその開口縁部１４に支持されて覆設される蓋材２１とを含み、該蓋材２１とケーシング１１の開口縁部１４との相互間には、位置固定すべくその一側辺２２側に螺着部３１を、他側辺２４３側に掛止部３２と嵌着部３３とを形成して、ケーシング１１に対し蓋材２１を着脱自在に取り付けた。【選択図】図１
2006165270.tif 000002
【特許請求の範囲】
【請求項１】
ケーシングの一側面に部分的に設けられた開口部と、該開口部を掩蔽するためにその開口縁部に支持されて覆設される蓋材とを含み、
該蓋材とケーシングの前記開口縁部との相互間には、位置固定すべくその一側辺側に螺着部を、他側辺側に掛止部と嵌着部とを形成して、ケーシングに対し蓋材を着脱自在に取り付けたことを特徴とする蓋材の取付け構造。
【請求項２】
略方形の平面形状を呈する前記開口部を有するケーシングと、前記開口部よりやや大きな略相似形を呈する前記蓋材とで構成され、
該蓋材におけるいずれか一方の対向２辺のうち、その一側辺側には、前記開口縁部側に形成された螺孔とその施蓋時に対面する位置に止めネジ用の通孔を形成して前記止めネジで止着される螺着部を設け、
他側辺側には、対応する位置関係にある前記開口縁部の下面側へ入り込む折曲部およびその残置部と、前記開口縁部との間で形成される掛止部と、前記残置部と対面する位置関係にある開口縁部との間で形成される嵌着部とを設けた請求項１に記載の蓋材の取付け構造。
【発明の詳細な説明】
【技術分野】
【０００１】
本発明は、ケーシングの一側面に部分的に設けられた開口面を掩蔽するために着脱自在に覆設される蓋材の取付け構造に関する技術である。
【背景技術】
【０００２】
波形記録計などの計測機器には、オプションとして用意される計測ユニットを挿着するための開口部がケーシングの一部領域に形成されているものもあり、該開口部は、計測ユニットを挿着する必要がない場合にはデザイン上の観点や安全対策上の観点から蓋材を覆設してこれを掩蔽しておく例が多い。
【０００３】
図４は、ケーシングが備える開口部に対する蓋材の取付け状態の従来例を示す側面図であり、ケーシング１の一側面に部分的に設けられた開口部２には、その開口縁部を介して蓋材３を支持させ、その一側縁部４側と他側縁部５側との２カ所にて止めネジ６を用いたネジ止めで着脱自在に取り付けることで、これを掩蔽していた。
【０００４】
しかし、図４に示す蓋材の取付け構造による場合には、少なくとも２本の止めネジ６を用いて蓋材３を止着しなければならず、それだけネジ止めのための作業工数が増えるほか、タップを切る作業もそれだけ増えてしまうといった問題があった。
【０００５】
一方、この種の蓋材の取付け構造としては、樹脂成形品からなるケーシングと蓋材とを、簡単な嵌合構造のもとで着脱自在に取り付けることができるようにしたものも既に提案されている（例えば、特許文献１の図１参照）。
【特許文献１】特開平５−１２５６１号公報
【発明の開示】
【発明が解決しようとする課題】
【０００６】
しかし、特許文献１に開示されている蓋材の取付け構造による場合には、樹脂成形品用の成型金型が別途に必要になり、それだけ製品コストを押し上げてしまうとといった不都合があった。
【０００７】
本発明は、図４や特許文献１に示されている従来技術にみられた上記課題に鑑み、ネジ止め箇所を減らすことにより、簡単な作業で着脱自在に施蓋することができる蓋材の取付け構造を提供することを目的とする。
【課題を解決するための手段】
【０００８】
本発明は、上記目的を達成すべくなされたものであり、ケーシングの一側面に部分的に設けられた開口部と、該開口部を掩蔽するためにその開口縁部に支持されて覆設される蓋材とを含み、該蓋材とケーシングの前記開口縁部との相互間には、位置固定すべくその一側辺側に螺着部を、他側辺側に掛止部と嵌着部とを形成して、ケーシングに対し蓋材を着脱自在に取り付けたこと取り付けたことを最も主要な特徴とする。
【０００９】
このうち、略方形の平面形状を呈する前記開口部を有するケーシングと、前記開口部よりやや大きな略相似形を呈する前記蓋材とで構成される場合には、該蓋材におけるいずれか一方の対向２辺のうち、その一側辺側には、前記開口縁部側に形成された螺孔とその施蓋時に対面する位置に止めネジ用の通孔を形成して前記止めネジで止着される螺着部を設け、他側辺側には、対応する位置関係にある前記開口縁部の下面側へ入り込む折曲部およびその残置部と、前記開口縁部との間で形成される掛止部と、前記残置部と対面する位置関係にある開口縁部との間で形成される嵌着部とを設け、これにより蓋材を着脱自在に取り付けるようにするのが望ましい。
【発明の効果】
【００１０】
本発明によれば、蓋材とケーシングの前口縁部との相互間には、その一側辺側に螺着部を、他側辺側に掛止部と嵌着部とを形成することができるようになっているので、螺着部の数を減らして構造を簡素化するなかで、施蓋時における蓋材の位置を確実に固定させた状態のもとで簡単に取り付けることができる。また、本発明は、成型金型を使わずに実現することができるので、コスト低減に有効に寄与させることができる。
【発明を実施するための最良の形態】
【００１１】
図１は、本発明の一例を示す側面図であり、図２は、図１におけるＡ−Ａ線矢視方向での断面図を、図３は、図１におけるＢ−Ｂ線矢視方向での拡大断面図をそれぞれ示す。
【００１２】
これらの図によれば、本発明に係る蓋材の取付け構造は、ケーシング１１の一側面１２に部分的に設けられた開口部１３と、該開口部１３を掩蔽するためにその開口縁部１４に支持されて覆設される蓋材２１とに適用して実施される。
【００１３】
このうち、ケーシング１１は、例えば波形記録計などの計測装置を構成しており、例えばオプションとして用意される計測ユニットを挿着する際などに用いられる略長方形を呈する開口部１３がその一側面１２に設けられている。
【００１４】
一方、蓋材２１は、開口部１３よりもやや大きな略相似形を呈する形状が付与されて形成されており、その施蓋時に開口部１３側の開口縁部１４を介して支持させることができるようになっている。
【００１５】
また、蓋材２１における対向短辺のうちの一側辺２２側には、開口縁部１４側に形成されている螺孔１７とその施蓋時に対面する位置関係のもとで止めネジ３５用の通孔２３が形成されており、該通孔２３を挿通させた止めネジ３５を螺孔１７に螺着させることで、相互間に螺着部３１を形成することができるようになっている。
【００１６】
さらに、蓋材２１における対向短辺のうちの他側辺２４側には、対応する位置関係にある開口縁部１４の下面１６側へ入り込む折曲部２５およびその残置部２６とで、対応する位置関係にある開口縁部１４との間で掛止部３２を形成することができるようになっている。
【００１７】
しかも、残置部２６とこれと対面する位置関係にある開口縁部１４との間では、残置部２６側の下面２１ａに凹部２７を、開口縁部１４側の上面１５に凹部２７と嵌合する凸部１８をそれぞれ設けることで、相互を位置固定するための嵌着部３３を形成することができるようになっている。
【００１８】
これを図示例に基づきより具体的に説明すると、蓋材２１の他側辺２４側には、開口縁部１４の下面１６側へと入り込むように舌状に切断されて折曲された折曲部２５がその中央部位に形成されている。
【００１９】
これにより、折曲部２５を間に挟んで蓋材２１の他側辺２４に位置することになる各残置部２７と折曲部２５との間に対応する位置関係にある開口縁部１４を位置させることで掛止部３２が形成されることになる。
【００２０】
また、各残置部２６とこれらと対面する位置関係にある開口縁部１４との間には、各残置部２６側の下面２１ａに各別に凹部２７を、開口縁部１４側の上面１５に各凹部２７と嵌合する凸部１８をそれぞれ設けることで嵌着部３３が形成されている。
【００２１】
次に、上記構成からなる本発明の作用・効果を図示例に基づいて説明すれば、開蓋状態にあるケーシング１１の開口部１３に対して、その開口側を完全に覆う位置関係のもとで蓋材２１を位置させる。
【００２２】
次いで、蓋材２１の他側辺２４側に形成されている折曲部２５をケーシング１１の開口縁部１４の下面１６側に差し込むように送り込む。これにより、同じく他側辺２４側に位置している各残置部２６は、開口縁部１４の上面１５側に載置されるようにして配置される。
【００２３】
つまり、ケーシング１１側と蓋材２１とは、蓋材２１の折曲部２５と各残置部２６との間に確保される空間内に開口縁部１４を位置させることで、相互間に掛止部３２を形成することができることになる。
【００２４】
しかも、このとき、蓋材２１の各残置部２６と、これらと対面する位置関係にある開口縁部１４との間には、凸部１８を凹部２７に嵌合することで嵌着部３３を形成することができるので、蓋材２１の他側辺２４側を開口縁部１４側に対し位置固定させることができることになる。
【００２５】
このように蓋材２１の他側辺２４側と開口縁部１４側との間に掛止部３２と嵌着部３３とを形成した際には、蓋材２１の一側辺２２側の通孔２３も開口縁部１４側に設けられている螺孔１７と対面することになる。
【００２６】
このようにして蓋材２１の一側辺２２側の通孔２３と開口縁部１４側の螺孔１７とを対面させた後は、止めネジ３５を送り込んで螺着することで、蓋体２１をケーシング１１の開口部１３を施蓋してこれを掩蔽することができる。しかも、その施蓋時には、蓋材２１の一側辺２２側に螺着部３１を、他側辺２４側に嵌着部３３をそれぞれ形成することで、蓋材２１をがたつきのない位置固定された状態のもとで取り付けることができる。なお、蓋材２１の取外しは、以上に述べた手順とは逆の手順を踏むことで簡単に行うことができる。
【００２７】
したがって、ネジ止め箇所を従来よりも減らした簡単な構造のもとで、蓋材２１をケーシング１１の開口部１３側に位置固定した状態のもとで確実に取り付けることができることになる。
【００２８】
以上は、本発明を図示例に基づいて説明したものであり、本発明の具体的な内容はこれに限られるものではない。例えば、蓋材の平面形状は、ケーシング側の開口部の具体的な形状との関係で適宜定めることができる。また、蓋材に形成される折曲部は、その位置や形状や数を所望に応じて適宜選択することができ、要は、残置部との間で開口縁部を掛止する掛止部を形成することができるものでさえあればよい。
【００２９】
一方、嵌着部は、ケーシング側に対し蓋材を位置固定するために必要なものであり、その数も少なくとも一カ所にあればよい。また、嵌着部は、開口縁部側に凹部を、蓋材側に凸部を設けて形成したり、凹部を穴部ではなく通孔として形成することもできる。さらに、掛止部は、開口縁部側に蓋材の折曲部や残置部に相当する構造を付与し、蓋材側を単に差し込むようにして形成することもできる。
【産業上の利用可能性】
【００３０】
本発明は、波形記録計などの計測装置のみならず、ケーシングに開口部が設けられており、該開口部を蓋材で着脱自在に掩蔽する必要がある全ての分野における蓋材の取付け構造に適用することができる。
【図面の簡単な説明】
【００３１】
【図１】本発明の一例を示す側面図。
【図２】図１におけるＡ−Ａ線矢視方向での断面図。
【図３】図１におけるＢ−Ｂ線矢視方向での拡大断面図。
【図４】ケーシングが備える開口部に対する蓋材の取付け状態の従来例を示す側面図。
【符号の説明】
【００３２】
１１  ケーシング
１２  一側面
１３  開口部
１４  開口縁部
１５  上面
１６  下面
１７  螺孔
１８  凸部
２１  蓋材
２１ａ  下面
２２  一側辺
２３  通孔
２４  他側辺
２５  折曲部
２６  残置部
２７  凹部
３１  螺着部
３２  掛止部
３３  嵌着部
３５  止めネジ
【図１】
2006165270.tif 000003
【図２】
2006165270.tif 000004
【図３】
2006165270.tif 000005
【図４】
2006165270.tif 000006